(57)【要約】【課題】各種電子機器における操作パネル用のパネルスイッチに使用される可動接点体およびそれを用いて構成したパネルスイッチに関し、外形が小型化されたものを得ることを目的とする。【解決手段】ベースシート１２下面の粘着剤を、上記ベースシート１２の外縁近傍に配置された上記可動接点１１への対応部分において、他の可動接点１１の非粘着部１４に相当する上記ベースシート１２外縁側となるリング状部分の一部に補助粘着剤１３Ａを設けたものとし、その補助粘着剤１３Ａは少なくとも上記ベースシート１２の外縁部分に形成された粘着剤１３の部分と繋がるように形成され、上記外縁近傍に配置された上記可動接点１１を上記補助粘着剤１３Ａをも含めて上記ベースシート１２に粘着保持させた可動接点体の構成とし、その外縁側で必要となる粘着力が確保されたものとする。【選択図】図１
2006164870.tif 000002
【特許請求の範囲】
【請求項１】
下方開口の円形ドーム状に形成された弾性金属板製の可動接点と、下面の粘着剤で上記可動接点のドーム状頂点部を粘着して、複数の所定位置に上記可動接点をそれぞれ保持する絶縁フィルム製のベースシートからなり、そのベースシート下面の粘着剤は、上記ベースシートの中央側に配置された上記可動接点への対応部分が、上記可動接点の外周部への対応位置に上記粘着剤が形成されていないリング状の非粘着部をなすように構成され、かつ上記ベースシートの外縁近傍に配置された上記可動接点への対応部分が、上記非粘着部に相当する上記ベースシート外縁側となるリング状部分の一部に補助粘着剤が設けられ、その補助粘着剤は少なくとも上記ベースシートの外縁部分に形成された粘着剤の部分と繋がるように形成され、上記外縁近傍に配置された上記可動接点が上記補助粘着剤をも含めて上記ベースシートに粘着保持された可動接点体。
【請求項２】
補助粘着剤が、ベースシート下面に設けられた粘着剤と同じものである請求項１記載の可動接点体。
【請求項３】
請求項１記載の可動接点体を用い、上面に外側固定接点と中央固定接点とを一組とした固定接点が上記可動接点体の各可動接点に対応する位置のそれぞれに配設された配線基板に対し、上記各可動接点の外周下端が、対応する上記各外側固定接点上に載せられるようにして、ベースシート下面の粘着剤で上記配線基板上に粘着保持させて構成したパネルスイッチ。
【発明の詳細な説明】
【技術分野】
【０００１】
本発明は、各種電子機器の操作パネルを構成するパネルスイッチ用の可動接点体およびそれを用いて構成したパネルスイッチに関するものである。
【背景技術】
【０００２】
近年、携帯電話機、ＰＤＡなどの携帯用電子機器が広く普及しているが、それら電子機器は携帯性の向上などのために小型化が進んでおり、その操作パネル部分に用いられるパネルスイッチも小型化への要望が高くなっている。
【０００３】
このようなパネルスイッチに用いられる従来の可動接点体およびそれを用いて構成したパネルスイッチについて、図４〜図６を用いて説明する。
【０００４】
図４は従来の可動接点体の断面図、図５は同分解斜視図、図６は同可動接点体を用いて構成したパネルスイッチの断面図である。
【０００５】
図４および図５において、１は、弾性金属薄板からなる可動接点であり、その形状は、下方開口となるように上方凸形のドーム状で、外形が円形に構成されている。２は、ＰＥＴ等の絶縁性フィルムからなるベースシートであり、所定位置に配置された上記可動接点１のドーム状頂点部１Ａのそれぞれを、その下面に形成された粘着剤３で粘着保持している。
【０００６】
そのベースシート２下面の粘着剤３は、各可動接点１の外周部分に対応する位置を除き、ベースシート２下面の全面に形成されている。つまり、その各可動接点１の外周部分に対応する部分は、個々に独立した円形リング状の非粘着部３Ａとしてなるように構成されている。
【０００７】
そして、各可動接点１は、上記非粘着部３Ａ内に円形に形成されている粘着剤３で、そのドーム状頂点部１Ａが粘着されてベースシート２の下面に保持されている。
【０００８】
以上のように従来の可動接点体は構成され、その使用状態としては、図６に示すように、上面に外側固定接点４Ａと中央固定接点４Ｂとを一組とした固定接点４が上記可動接点体の各可動接点１に対応する位置のそれぞれに配設された配線基板５に対し、上記各可動接点１の外周下端１Ｂが上記各外側固定接点４Ａに載るように位置合わせされて、ベースシート２下面に形成された粘着剤３で粘着されて使用される。
【０００９】
そして、上記図６の状態において、各外側固定接点４Ａは対応する各可動接点１と導通し、かつ各可動接点１のドーム状頂点部１Ａ下面は、対応する各中央固定接点４Ｂと間隔を空けて対峙した状態となり、上記ベースシート２下面の所定位置に粘着配置された複数の可動接点１位置のそれぞれで単体のスイッチが構成され、全体としてはパネルスイッチとして構成される。
【００１０】
なお、上記粘着剤３の形成パターンとして可動接点１毎の外周位置に応じた部分を非粘着部３Ａとして形成したのは、パネルスイッチ構成時などに、不要な粘着剤３が可動接点１の下端に噛みこまないようにするためである。また、上記可動接点体は、可動接点１を埃などから保護するため、ベースシート２の下面全体を覆う絶縁フィルム製の保護シートが貼り合せられて輸送・保管などが行われ、上記配線基板５上への貼り合せ時に、その保護シートを取り除くことが通常行われるものである。
【００１１】
そして、上記パネルスイッチの単体スイッチの動作としては、電子機器の操作ボタン（図示せず）などにより、ベースシート２を介して可動接点１のドーム状頂点部１Ａが押下されると、可動接点１のドーム状部分が節度感を伴って弾性変形し、ドーム状頂点部１Ａ下面が下方の中央固定接点４Ｂに接触して、外側固定接点４Ａと中央固定接点４Ｂとの間が電気的に導通状態、つまりスイッチオン状態となる。
【００１２】
そして、その押圧力を解除すると、可動接点１は、ドーム状部分が節度感を伴いつつ元の上方凸形のドーム状に自己復元して、ドーム状頂点部１Ａ下面が中央固定接点４Ｂから離れる。これにより、外側固定接点４Ａと中央固定接点４Ｂとの間が電気的独立状態の図４に示す元のスイッチオフ状態に戻るものであった。
【００１３】
なお、この出願の発明に関連する先行技術文献情報としては、例えば、特許文献１が知られている。
【特許文献１】特開平１０−１８８７２８号公報
【発明の開示】
【発明が解決しようとする課題】
【００１４】
上記従来の可動接点体およびそれを用いて構成したパネルスイッチにおいては、搭載製品の小型化への対応に伴い、ベースシート２の外縁とその外縁近傍に配置される可動接点１との間を狭く設定して小型化への対応を図ることもあった。
【００１５】
しかしながら、当該対応方法においては、可動接点体を配線基板５に貼り合わせてパネルスイッチに構成した際、各スイッチの動作時を含んで、ベースシート２が外縁部分から剥がれないように、図６に示すベースシート２の外縁端部から円形リング状の非粘着部３Ａまでの間に形成される粘着剤３部分の形成寸法幅Ａを、所定の貼り合わせ状態が維持できる寸法設定としなければならず、上記対応方法は、簡単で有用な方策ではあるものの、ある程度までの小型化が限界であった。
【００１６】
本発明は、このような従来の課題を解決するものであり、ベースシートの外縁とその外縁近傍に配置される可動接点との間を従来のものよりも狭く設定したにも拘わらず、ベースシートの外縁からの剥がれなどが防止できる外形が小型化された可動接点体およびそれを用いて構成したパネルスイッチを提供することを目的とする。
【課題を解決するための手段】
【００１７】
上記目的を達成するために本発明は、以下の構成を有するものである。
【００１８】
本発明の請求項１に記載の発明は、下方開口の円形ドーム状に形成された弾性金属板製の可動接点と、下面の粘着剤で上記可動接点のドーム状頂点部を粘着して、複数の所定位置に上記可動接点をそれぞれ保持する絶縁フィルム製のベースシートからなり、そのベースシート下面の粘着剤は、上記ベースシートの中央側に配置された上記可動接点への対応部分が、上記可動接点の外周部への対応位置に上記粘着剤が形成されていないリング状の非粘着部をなすように構成され、かつ上記ベースシートの外縁近傍に配置された上記可動接点への対応部分が、上記非粘着部に相当する上記ベースシート外縁側となるリング状部分の一部に補助粘着剤が設けられ、その補助粘着剤は少なくとも上記ベースシートの外縁部分に形成された粘着剤の部分と繋がるように形成され、上記外縁近傍に配置された上記可動接点が上記補助粘着剤をも含めて上記ベースシートに粘着保持された可動接点体としたものである。
【００１９】
この構成であれば、ベースシート外縁近傍に配された可動接点が、ベースシートに補助粘着剤をも含めて粘着保持され、ベースシートの外縁部分に形成された粘着剤の部分と繋がるように形成された当該補助粘着剤がベースシートおよび可動接点に粘着している分、ベースシート外縁側で必要となる粘着面積および粘着力が確保でき、その間の部分の寸法を狭く設定しても、上記ベースシートの外縁の剥がれなどが防止できる外形が小型化された可動接点体を得ることができるという作用を有する。
【００２０】
本発明の請求項２に記載の発明は、請求項１記載の可動接点体において、補助粘着剤が、ベースシート下面に設けられた粘着剤と同じものであり、ベースシート下面に設ける粘着剤が一種類で良く、またそれにより一回の加工工程で粘着剤をベースシートに形成できるため、容易かつ低コストにベースシートの外縁部分を短寸法化したものが得られるという作用を有する。
【００２１】
本発明の請求項３に記載の発明は、請求項１記載の可動接点体を用い、上面に外側固定接点と中央固定接点とを一組とした固定接点が上記可動接点体の各可動接点に対応する位置のそれぞれに配設された配線基板に対し、上記各可動接点の外周下端が、対応する上記各外側固定接点上に載せられるようにして、ベースシート下面の粘着剤で上記配線基板上に粘着保持させて構成したパネルスイッチであり、当該可動接点体を用いて構成したため、ベースシート端部の剥がれなども抑制でき、防塵防滴性を備えた小型のパネルスイッチが得られるという作用を有する。
【発明の効果】
【００２２】
以上のように本発明によれば、ベースシート外縁近傍位置に配された可動接点が、上記ベースシート外縁部分に形成された粘着剤の部分と繋がるように形成された補助粘着剤を含めて上記ベースシートに粘着保持させた構成であるため、ベースシートの外縁幅を狭く設定しても、ベースシート外縁側で必要となる粘着面積およびそれに見合う粘着力が確保でき、ベースシート外縁に対してさらなる近傍位置に可動接点が配された外形が小型の可動接点体およびそれを用いて構成したパネルスイッチを提供することができるという有利な効果が得られる。
【発明を実施するための最良の形態】
【００２３】
以下、本発明の実施の形態について、図１〜図３を用いて説明する。
【００２４】
（実施の形態）
図１は本発明の一実施の形態による可動接点体の断面図、図２は同ベースシートの下面図である。
【００２５】
同図において、１１は弾性金属薄板からなる可動接点で、従来同様に、その外形は円形で、かつ下方開口となる上方凸形のドーム状に形成されている。１２は絶縁フィルム製のベースシートで、その下面のほぼ全面に粘着剤１３が印刷塗布されており、その粘着剤１３によって上記可動接点１１のドーム状頂点部１１Ａ上面のそれぞれが粘着保持され、複数の上記可動接点１１はベースシート１２の所定位置に配置されている。
【００２６】
このとき、上記ベースシート１２下面の粘着剤１３は、上記ベースシート１２の中央側に配された可動接点１１への対応部分としては、当該可動接点１１の外周部への対応位置に上記粘着剤１３が形成されていないリング状の非粘着部１４としてなるように印刷塗布され、上記可動接点１１は、対応する非粘着部１４内に円形に形成された粘着剤１３部分でドーム状頂点部１１Ａ上面が粘着保持されている。
【００２７】
そして、本発明の可動接点体は、上記ベースシート１２の外縁近傍に配置された可動接点１１の外周部に対応した部分が、非粘着部１５として半円弧状のもので構成した点で従来のものとは異なっている。
【００２８】
つまり、図２のベースシートの下面図にも示すように、その半円弧状の非粘着部１５は、ベースシート１２の外縁側とは逆の中央側に設けられ、ベースシート１２外縁側に相当する他方の半円弧状部分は、他の下面部分と同じ粘着剤１３が印刷塗布されたものとなっている。なお、以下、上記半円弧状部分に形成された粘着剤１３部分を補助粘着剤１３Ａとして説明する。なお、上記非粘着部１５と補助粘着剤１３Ａとで構成される円形リング部分は、対応する可動接点１１の外周部に応じている。
【００２９】
そして、その補助粘着剤１３Ａは、少なくともベースシート１２下面の外縁部分に形成された粘着剤１３の部分と繋がるように形成されている。なお、以下には、図１に示すように、可動接点１１の径や高さによって補助粘着剤１３Ａが非粘着部１５内の粘着剤１３部分とも繋がったものを事例として説明する。
【００３０】
そして、上記ベースシート１２の外縁近傍に配置された可動接点１１は、図１に示すように、非粘着部１５内の粘着剤１３部分と補助粘着剤１３Ａとの両者でベースシート１２に粘着保持状態となっている。
【００３１】
このようにベースシート１２の外縁部分に配された粘着剤１３の部分に繋がる当該補助粘着剤１３Ａが、その外縁側でベースシート１２および可動接点１１に粘着している分、上記外縁側での必要な粘着面積およびそれに見合う粘着力が確保されたものにでき、本発明によるものは、従来のものよりも可動接点１１をさらにベースシート１２の外縁端部近傍位置に配置した外形が小型化されたものとなっている。
【００３２】
以上のように本発明による可動接点体は構成され、これを用いて構成したパネルスイッチを図３の断面図に示す。
【００３３】
同図に示すように、当該パネルスイッチの構成は、上面に外側固定接点１６Ａと中央固定接点１６Ｂとを一組とした固定接点１６が上記可動接点体のベースシート１２下面に粘着配置された各可動接点１１に対応する位置のそれぞれに配設された配線基板１７に対し、各可動接点１１の外周下端１１Ｂが上記各外側固定接点１６Ａ上に載るように位置合わせされてベースシート１２下面の粘着剤１３で粘着状態に装着されたものである。
【００３４】
なお、本発明による可動接点体においても、従来同様に、配線基板１７上に貼り合わされるまでは、可動接点１１などを埃や異物から保護するために、絶縁フィルム製の保護シートがベースシート１２の下面全体を覆うように貼り合わせられ、その配線基板１７への貼り合わせ時に、保護シートが取り除かれて装着することが行われる。
【００３５】
そして、上記パネルスイッチにおいて、ベースシート１２の外縁近傍に配置された可動接点１１は、その外縁に向かっては可動接点１１上面から外周部まで上記補助粘着剤１３Ａを含めて密着した状態でベースシート１２に粘着され、ベースシート１２としては、外縁部分に形成された粘着剤１３の部分が、配線基板１７上に粘着されたものにできるため、ベースシート１２の外縁側で必要となる粘着面積およびそれに見合う粘着力の確保ができ、ベースシート１２の外縁に対し従来よりも可動接点１１を近接して配置、つまりベースシート１２の外縁幅を狭く設定しても、ベースシート１２の外縁部分が配線基板１７から剥がれたりすることを防止することができる。
【００３６】
そして、上記パネルスイッチの個々のスイッチ動作は、電子機器の操作ボタン（図示せず）などでベースシート１２の上から可動接点１１のドーム状頂点部１１Ａを押下すると、ドーム状部分が節度感を伴って弾性変形して、ドーム状頂点部１１Ａ下面が下方に配された中央固定接点１６Ｂに接触する。これにより、可動接点１１を介して外側固定接点１６Ａと中央固定接点１６Ｂとの間が導通し、スイッチオン状態となる。
【００３７】
そして、可動接点１１への押圧力を取り除くと、可動接点１１は、自身の自己復元力により、節度感を伴いつつ元の上方凸形のドーム状に戻り、ドーム状頂点部１１Ａ下面と中央固定接点１６Ｂとが離れた図１に示すスイッチオフ状態に戻る。
【００３８】
以上のように、本発明による可動接点体を配線基板１７上に装着して構成したパネルスイッチは、ベースシート１２の外縁部分が、配線基板１７上およびその外縁近傍に配置された可動接点１１を含んで粘着状態になるので、ベースシート１２外縁の幅寸法を従来のものよりも狭く設定して小型化したものであっても、ベースシート１２外縁側で必要となる粘着面積およびそれに見合う粘着力が確保できて、ベースシート１２外縁部分の剥がれが防止でき、配線基板１７の各固定接点１６（１６Ａ，１６Ｂ）および可動接点１１とからなる接点部の防塵防滴性に優れた小型のものを得ることができる。
【００３９】
なお、上記に説明したように、補助粘着剤１３Ａを含めベースシート１２下面に一種類の粘着剤１３を印刷塗布して形成したものであれば、粘着剤１３が一種類で良く、またそれにより一回の加工工程で粘着剤１３をベースシート１２に形成できるため、容易かつ低コストにベースシート１２の外縁部分を短寸法化したものが得られて好ましいが、補助粘着剤１３Ａを別の粘着剤で形成したものとしても良い。
【００４０】
また、ベースシート１２外縁側に配する補助粘着剤１３Ａの形成範囲などは、何等限定されるものではないが、少なくともその外縁側で必要となる粘着力を得るために、略半周程度に形成することが好ましい。
【００４１】
一方、パネルスイッチとして構成する際に、ベースシート１２外縁近傍に配された可動接点１１に対応する外側固定接点１６Ａは、その非粘着部１５側に対応する位置に少なくとも一つを配することが肝要で、そのようにすれば、環境変化や繰り返し押圧操作により外縁近傍位置に配された可動接点１１と外側固定接点１６Ａとの接触部分に補助粘着剤１３Ａなどの粘着剤が入り込む恐れが無くせて接触安定性にも優れた外形が小型のパネルスイッチが構成できる。
【産業上の利用可能性】
【００４２】
本発明による可動接点体およびそれを用いて構成したパネルスイッチは、ベースシート外縁近傍位置に配された可動接点が、上記外縁部分に形成された粘着剤の部分と繋がる補助粘着剤を含めて上記ベースシートに粘着保持された構成であるため、ベースシートの外縁幅を狭く設定しても、ベースシート外縁側で必要となる粘着面積およびそれに見合う粘着力が確保でき、ベースシート外縁に対してさらなる近傍位置に当該可動接点を配した外形が小型のものにできるという特徴を有し、各種電子機器における操作パネル用のパネルスイッチ等に有用である。
【図面の簡単な説明】
【００４３】
【図１】本発明の一実施の形態による可動接点体の断面図
【図２】同ベースシートの下面図
【図３】同可動接点体を用いて構成したパネルスイッチの断面図
【図４】従来の可動接点体の断面図
【図５】同分解斜視図
【図６】同可動接点体を用いて構成したパネルスイッチの断面図
【符号の説明】
【００４４】
１１  可動接点
１１Ａ  ドーム状頂点部
１１Ｂ  外周下端
１２  ベースシート
１３  粘着剤
１３Ａ  補助粘着剤
１４，１５  非粘着部
１６  固定接点
１６Ａ  外側固定接点
１６Ｂ  中央固定接点
１７  配線基板
【図１】
2006164870.tif 000003
【図２】
2006164870.tif 000004
【図３】
2006164870.tif 000005
【図４】
2006164870.tif 000006
【図５】
2006164870.tif 000007
【図６】
2006164870.tif 000008